(57)【要約】【課題】第１、２フラットケーブルを接続する作業が行い易く、かつ表示部及び第１基板の動作不良を抑制できる画像読取装置を提供する。【解決手段】操作パネル部１０は、表示部３００、第１基板４００、制御基板５００、押さえ部材６００及び第１、２フラットケーブル３５０、４５０等を有する。押さえ部材６００は、表示部３００におけるタッチパネル２００とは反対側において、表示部３００と重なる状態で配置される。第１フラットケーブル３５０は、一端部３５０Ａが表示部３００の端縁３００Ｒに接続され、中間部３５０Ｃが押さえ部材６００と表示部３００との間に位置して制御基板５００に向かって延び、制御基板５００に接続される。第２フラットケーブル４５０は、一端部４５０Ａが第１基板４００に接続され、中間部４５０Ｃが押さえ部材６００における表示部３００とは反対側に位置して制御基板５００に向かって延び、制御基板５００に接続される。【選択図】図５
2016192633.tif 000002
【特許請求の範囲】
【請求項１】
読取部を収容するハウジングと、
前記ハウジングに取り付けられる操作パネル部と、を備え、
前記操作パネル部は、操作面を構成するパネル部材と、前記パネル部材に支持される構成部品と、を含み、
前記構成部品は、前記パネル部材の前記操作面から一部を露出させた状態で配置されるタッチパネルと、
前記タッチパネルにおける前記操作面とは反対側において、前記タッチパネルと重なる状態で配置される表示部と、
前記タッチパネルの所定の基準端縁の一端部に隣接して配置され、所定の処理を行う第１基板と、
前記タッチパネルの前記基準端縁の他端部に隣接して配置され、前記タッチパネル、前記表示部及び前記第１基板を制御する制御基板と、
前記表示部における前記タッチパネルとは反対側において、前記表示部と重なる状態で配置される押さえ部材と、
一端部が前記表示部における前記第１基板に近い端縁に接続され、中間部が前記押さえ部材と前記表示部との間に位置して前記制御基板に向かって延び、他端部が前記制御基板に接続される第１フラットケーブルと、
一端部が前記第１基板に接続され、中間部が前記押さえ部材における前記表示部とは反対側に位置して前記制御基板に向かって延び、他端部が前記制御基板に接続される第２フラットケーブルと、を有していることを特徴とする画像読取装置。
【請求項２】
前記基準端縁に略平行な方向を第１方向とした場合、
前記第１基板は、前記タッチパネル、前記表示部及び前記押さえ部材を挟んで前記第１方向の一方に位置する領域に配置され
前記制御基板は、前記タッチパネル、前記表示部及び前記押さえ部材を挟んで前記第１方向の他方に位置する領域に配置されている請求項１記載の画像読取装置。
【請求項３】
前記第１フラットケーブル及び前記第２フラットケーブルは、前記第１方向に延びている請求項２記載の画像読取装置。
【請求項４】
前記第１フラットケーブルの前記一端部は、前記表示部における前記第１方向の一方の端縁に接続されている請求項３記載の画像読取装置。
【請求項５】
前記第１フラットケーブルの前記中間部と、前記第２フラットケーブルの前記中間部とは、前記操作面に直交する第２方向から見て、重なる部分を含んでいる請求項３又は４のいずれか１項記載の画像読取装置。
【請求項６】
前記第１フラットケーブルは、前記中間部において互いに分断された第１端部及び第２端部と、前記第１端部と前記第２端部とを接続する接続部とを含み、
前記押さえ部材における前記表示部に対向する第１面には、前記接続部を保持する第１保持部が形成されている請求項１乃至５のいずれか１項記載の画像読取装置。
【請求項７】
前記押さえ部材における前記表示部とは反対側の第２面には、前記第２フラットケーブルの前記中間部を保持する第２保持部が形成されている請求項１乃至６のいずれか１項記載の画像読取装置。
【請求項８】
前記押さえ部材には、前記第２面における前記第２保持部よりも前記制御基板に近い部位から前記表示部とは反対方向に突出しつつ前記制御基板に向けて傾斜して、前記第２フラットケーブルの前記中間部に当接可能な突出部が形成されている請求項７記載の画像読取装置。
【請求項９】
前記第１フラットケーブルにおける前記他端部から前記押さえ部材に向かって延びる部分と、前記第２フラットケーブルにおける前記他端部から前記押さえ部材に向かって延びる部分との間に介在するフィルムをさらに備えている請求項１乃至８のいずれか１項記載の画像読取装置。
【請求項１０】
前記第１基板は、静電容量式のタッチキーを構成する静電キー基板である請求項１乃至９のいずれか１項記載の画像読取装置。
【請求項１１】
前記パネル部材における前記操作面とは反対側に配置され、かつ前記制御基板に接続され、近距離無線通信を行う第２基板をさらに備え、
前記パネル部材は、前記操作面を形成するパネルカバーと、前記パネルカバーにおける前記操作面とは反対側に組み付けられるパネル本体と、を含み、
前記パネル本体は、前記第２基板が前記パネルカバーに当接することを許容するように開口する開口部と、
前記開口部の周縁に形成され、前記パネルカバーに当接する前記第２基板の一端縁に係合可能な第１係合部と、
前記開口部の前記周縁における前記第１係合部とは反対側に形成され、前記第１係合部に対して接近及び離間するように弾性変形可能であり、前記第２基板の他端縁に係合可能な第２係合部と、を有している請求項１乃至１０のいずれか１項記載の画像読取装置。
【請求項１２】
前記第２基板は、前記パネルカバーと前記制御基板とに挟まれた状態で配置され、
前記制御基板、又は前記制御基板に付属する部材には、前記第２基板が前記パネルカバーに当接し、前記第１係合部が前記第２基板の前記一端縁に係合し、前記第２係合部が前記第２基板の前記他端縁に係合した状態で、前記第２係合部が第１係合部から離間することを規制する規制部が形成されている請求項１１記載の画像読取装置。
【発明の詳細な説明】
【技術分野】
【０００１】
本発明は画像読取装置に関する。
【背景技術】
【０００２】
特許文献１に従来の画像読取装置の例が開示されている。この画像読取装置は、読取部を収容するハウジングと、ハウジングに取り付けられる操作パネル部とを備えている。操作パネル部は、操作面を構成するパネル部材と、パネル部材に支持される構成部品とを含んでいる。構成部品は、タッチパネル、ＬＣＤ、静電キー基板、制御基板、押さえ部材、ＬＣＤケーブル及びＦＦＣを有している。ＬＣＤケーブル及びＦＦＣはそれぞれ、複数本の被覆電線が帯状に接合されてなるフラットケーブルである。
【０００３】
タッチパネルは、パネル部材の操作面から一部を露出させた状態で配置されている。ＬＣＤは、タッチパネルにおける操作面とは反対側において、タッチパネルと重なる状態で配置されている。静電キー基板は、タッチパネルの所定の基準端縁の一端部に隣接して配置されている。静電キー基板は、操作面の所定の領域に設定されたタッチ位置がユーザの指先などで触れられたか否かをその部分の静電容量の変化に基づいて判断する処理を行う。制御基板は、タッチパネルの所定の基準端縁の他端部に隣接して配置されている。制御基板は、タッチパネル、ＬＣＤ及び静電キー基板を制御する。より詳しくは、制御基板は、パネルユニット制御基板と、非図示のタッチパネル制御基板とを含んで構成されている。
【０００４】
押さえ部材は、ＬＣＤにおけるタッチパネルとは反対側において、ＬＣＤと上下方向において重なる状態で配置されている。ＬＣＤケーブルは、一端部がＬＣＤの端縁に接続され、他端部がタッチパネル制御基板に接続されている。ＦＦＣは、一端部が静電キー基板に接続され、中間部が押さえ部材におけるＬＣＤとは反対側に位置し、他端部がパネルユニット制御基板に接続されている。
【先行技術文献】
【特許文献】
【０００５】
【特許文献１】特開２０１４−２７３６６号公報
【発明の概要】
【発明が解決しようとする課題】
【０００６】
ところで、上記従来の画像読取装置では、ＬＣＤケーブルが短いことから、ＬＣＤケーブル及びＦＦＣがそれぞれのノイズによって互いに悪影響を及ぼし合うという不具合はそれほど問題とならない。しかし、ＬＣＤケーブルが短いことで、ＬＣＤとタッチパネル制御基板との間の接続作業が行い難い、という問題がある。一方、ＬＣＤとタッチパネル制御基板との間の接続作業の効率化のために、ＬＣＤケーブルを長くした場合には、ＬＣＤケーブルとＦＦＣとが接近し易くなり、それぞれのノイズによって互いに悪影響を及ぼし合うという不具合を生じる可能性がある。この場合、ＬＣＤ等の表示部及び静電キー基板等の第１基板の動作不良が生じるおそれがある。また、ＬＣＤとＬＣＤケーブルとがユニット化された既製品を利用することにより、ＬＣＤケーブルが必要以上に長い場合がある。このような場合においても、同様の不具合が生じる可能性がある。
【０００７】
本発明は、上記従来の実情に鑑みてなされたものであって、第１、２フラットケーブルを接続する作業が行い易く、かつ表示部及び第１基板の動作不良を抑制できる画像読取装置を提供することを目的とする。
【課題を解決するための手段】
【０００８】
本発明の画像読取装置は、読取部を収容するハウジングと、
前記ハウジングに取り付けられる操作パネル部と、を備え、
前記操作パネル部は、操作面を構成するパネル部材と、前記パネル部材に支持される構成部品と、を含み、
前記構成部品は、前記パネル部材の前記操作面から一部を露出させた状態で配置されるタッチパネルと、
前記タッチパネルにおける前記操作面とは反対側において、前記タッチパネルと重なる状態で配置される表示部と、
前記タッチパネルの所定の基準端縁の一端部に隣接して配置され、所定の処理を行う第１基板と、
前記タッチパネルの前記基準端縁の他端部に隣接して配置され、前記タッチパネル、前記表示部及び前記第１基板を制御する制御基板と、
前記表示部における前記タッチパネルとは反対側において、前記表示部と重なる状態で配置される押さえ部材と、
一端部が前記表示部における前記第１基板に近い端縁に接続され、中間部が前記押さえ部材と前記表示部との間に位置して前記制御基板に向かって延び、他端部が前記制御基板に接続される第１フラットケーブルと、
一端部が前記第１基板に接続され、中間部が前記押さえ部材における前記表示部とは反対側に位置して前記制御基板に向かって延び、他端部が前記制御基板に接続される第２フラットケーブルと、を有していることを特徴とする。
【０００９】
本発明の画像読取装置では、上記のように配線される第１フラットケーブルが長くなるものの、第１フラットケーブルの中間部と、第２フラットケーブルの中間部とは、双方の間に押さえ部材が配置された状態で、制御基板に向かって延びる。つまり、第１フラットケーブルの中間部と、第２フラットケーブルの中間部とは、押さえ部材によって、互いに離間する状態が維持される。これにより、第１フラットケーブル及び第２フラットケーブルがそれぞれのノイズによって互いに悪影響を及ぼし合うという不具合が発生し難い。また、第１フラットケーブルが長くなることで、第１フラットケーブルを接続する作業が行い易くなる。さらに、第２フラットケーブルを接続する作業を行う際、押さえ部材によって、第１フラットケーブルが邪魔になり難い。
【００１０】
したがって、本発明の画像読取装置では、第１、２フラットケーブルを接続する作業が行い易く、かつ表示部及び第１基板の動作不良を抑制できる。
【図面の簡単な説明】
【００１１】
【図１】実施例の画像読取装置の斜視図である。
【図２】実施例の画像読取装置の模式正面図である。
【図３】実施例の画像読取装置のブロック図である。
【図４】操作パネル部の上面図である。
【図５】（ａ）は操作パネル部の下面図であり、（ｂ）は（ａ）のＡ−Ａ断面を示す断面図である。
【図６】図５（ｂ）と同様の断面であって、表示部及び押さえ部材の周辺を主に示す部分断面図である。
【図７】図５（ｂ）と同様の断面であって、制御基板の周辺を主に示す部分断面図である。
【図８】操作パネル部の分解斜視図である。
【図９】パネル本体の斜視図である。
【図１０】押さえ部材と、第１、２フラットケーブルとの相対関係を示す上面図である。
【図１１】押さえ部材と、第２フラットケーブルとの相対関係を示す斜視図である。
【図１２】静電キー基板ホルダと、第２フラットケーブルとの相対関係を示す斜視図である。
【図１３】制御基板と、第１、２フラットケーブルとの相対関係を示す斜視図である。
【図１４】パネル本体の第１、２係合部の周辺、ＮＦＣ基板及びシールドプレート等を示す部分斜視図である。
【発明を実施するための形態】
【００１２】
以下、本発明を具体化した実施例を図面を参照しつつ説明する。
【００１３】
（実施例）
図１に示すように、実施例の画像読取装置１は、本発明の画像読取装置の具体的態様の一例である。図１では、操作パネル部１０が設けられた側を装置の前側と規定し、操作パネル部１０に向かった場合に左手に来る側を左側と規定して、前後、左右及び上下の各方向を表示する。そして、図２以降の各図に示す各方向は、全て図１に示す各方向に対応させて表示する。以下、図１等に基づいて、画像読取装置１が備える各構成要素について説明する。
【００１４】
＜全体構成＞
図１〜図３に示すように、画像読取装置１は、本体部８、開閉部９、画像形成ユニット５、読取ユニット３、搬送部４及び操作パネル部１０を備えている。図１及び図２に示すように、開閉部９は、本体部８の上方に設けられている。本体部８は、扁平な略箱状体であるハウジング７を有している。図１に示すように、ハウジング７の前端部は、開閉部９よりも前方に突出しており、その突出した部分の上面に操作パネル部１０が取り付けられている。操作パネル部１０は、画像形成装置１の稼働状態や設定等を表示したり、ユーザからの入力を受け付けるユーザインターフェースである。
【００１５】
図２に示すように、画像形成ユニット５は、ハウジング７内の下方部に収容されている。画像形成ユニット５は、インクジェット方式又はレーザ方式等によりシートに画像を形成する。読取ユニット３は、ハウジング７内の上方部に収容されている。読取ユニット３は、原稿の画像を読み取る際に使用される。
【００１６】
ハウジング７の上面には、プラテンガラス８１が配設されている。プラテンガラス８１の上面は、シートや書籍等である原稿を支持する原稿支持面８１Ａとされている。
【００１７】
図１に示すように、開閉部９は、ハウジング７の後端部に配設された図示しないヒンジによって、左右方向に延びる開閉軸心Ｘ９周りで揺動可能に支持されている。開閉部９は、図１に示す閉じた状態では、原稿支持面８１Ａを上方から覆っている。図示は省略するが、開閉部９は、その前端部が上方かつ後方に変位するように開閉軸心Ｘ９周りで揺動することにより、原稿支持面８１Ａを露出させる。これにより、ユーザは、読取対象の原稿を原稿支持面８１Ａに支持させることができる。
【００１８】
図２に示すように、開閉部９には、搬送部４が収容されている。搬送部４は、シートＳＨを所定の搬送経路Ｐ１に沿って１枚ずつ搬送する。
【００１９】
なお、本実施例においては、原稿支持面８１Ａを使用して画像が読み取られる対象を原稿と記載し、搬送部４により搬送しながら画像が読み取られる対象をシートＳＨと記載する。原稿とシートＳＨとは、実質的に同じものであってもよい。
【００２０】
図２に示すように、読取ユニット３は、読取センサ３Ｓ及び図示しない走査機構を有している。読取センサ３Ｓは、本発明の「読取部」の一例である。読取センサ３Ｓは、プラテンガラス８１に下から対向している。読取センサ３Ｓとしては、密着型イメージセンサ（ＣＩＳ：Contact Image Sensor）やＣＣＤ（Charge Coupled Device）等の周知の画像読取センサが使用される。
【００２１】
図３に示すように、画像読取装置１は、制御部Ｃ１を備えている。制御部Ｃ１は、ＣＰＵ等からなる制御回路であり、ＲＯＭ及びＲＡＭ等の情報記憶手段に記憶されている各種情報を用いながら、画像形成ユニット５、読取ユニット３、搬送部４及び操作パネル部１０等の制御を行う。
【００２２】
図２に示すように、原稿支持面８１Ａに支持された原稿の画像を読み取る場合、図示しない走査機構が作動して、読取センサ３Ｓをプラテンガラス８１の下で左右方向に往復移動させる。これにより、読取センサ３Ｓは、原稿の画像の一部を前後方向（主走査方向）に長いライン状に読み取りながら、左右方向（副走査方向）に移動して、原稿の画像の全体を読み取る。
【００２３】
また、搬送部４に搬送されるシートＳＨの画像を読み取る場合、図示しない走査機構が作動して、読取センサ３Ｓを予め設定された静止読取位置に停止させる。そして、搬送部４が作動し、搬送部４によって搬送されて静止読取位置に停止した読取センサ３Ｓの上方を通過するシートＳＨの画像を読取センサ３Ｓによって読み取る。
【００２４】
＜操作パネル部の構成＞
図３〜図８に示すように、操作パネル部１０は、パネル部材１１、タッチパネル２００、ＬＣＤ（Liquid Crystal Display）３００、静電キー基板４００、パネル制御基板５００、押さえ部材６００、ＮＦＣ（Near Field Communication）基板７００、第１フラットケーブル３５０及び第２フラットケーブル４５０を含んでいる。
【００２５】
なお、以下の説明では、タッチパネル２００、ＬＣＤ３００、静電キー基板４００、パネル制御基板５００、押さえ部材６００及びＮＦＣ基板７００等についての前後方向、左右方向及び上下方向は、操作パネル部１０がハウジング７の前端部に取り付けられた状態を基準とする。
【００２６】
タッチパネル２００、ＬＣＤ３００、静電キー基板４００、パネル制御基板５００、押さえ部材６００、ＮＦＣ基板７００、第１フラットケーブル３５０及び第２フラットケーブル４５０は、本発明の「構成部品」の一例である。ＬＣＤ３００は、本発明の「表示部」の一例である。静電キー基板４００は、本発明の「第１基板」の一例である。パネル制御基板５００は、本発明の「制御基板」の一例である。ＮＦＣ基板７００は、本発明の「第２基板」の一例である。
【００２７】
図４〜図９に示すように、パネル部材１１は、パネルカバー１８０とパネル本体１００とを含んでいる。パネルカバー１８０は、平坦な略矩形板状の樹脂成形品である。図１及び図４に示すように、操作パネル部１０がハウジング７の前端部に取り付けられた状態では、パネルカバー１８０の上を向く面が操作面１８１を形成している。
【００２８】
図８に示すように、パネルカバー１８０の中央部には、略矩形状の開口部１８３が貫設されている。パネルカバー１８０の右端部には、丸穴１８９が貫設されている。図４に示すように、パネルカバー１８０の操作面１８１における開口部１８３よりも右には、複数のタッチ位置を有するタッチキー領域１８１Ｔが設定されている。
【００２９】
図５〜図９に示すように、パネル本体１００は、略枠状の樹脂成形品である。パネル本体１００は、パネルカバー１８０における操作面１８１とは反対側に組み付けられている。パネル本体１００の下面、すなわち、パネルカバー１８０における操作面１８１とは反対側を向く面は、支持面１０２を形成している。
【００３０】
図８及び図９に示すように、支持面１０２には、複数のリブ、ボス及び突起等が形成されている。パネル本体１００の中央部には、略矩形状の第１開口部１３０が貫設されている。第１開口部１３０は、パネルカバー１８０の開口部１８３よりも若干大きく開口している。
【００３１】
パネル本体１００の第１開口部１３０よりも右部分には、略矩形状の第２開口部１４０が貫設されている。第２開口部１４０は、図４に示すパネルカバー１８０のタッチキー領域１８１Ｔと重なる位置に設けられている。パネル本体１００の右端部には、電源スイッチボタン１０９が形成されている。図４に示すように、パネル本体１００がパネルカバー１８０に組み付けられた状態では、電源スイッチボタン１０９がパネルカバー１８０の丸穴１８９に挿通されて、操作面１８１に露出している。
【００３２】
図８及び図９に示すように、パネル本体１００の第１開口部１３０よりも左部分には、略矩形状の第３開口部１７０が貫設されている。第３開口部１７０は、本発明の「開口部」の一例である。第３開口部１７０は、ＮＦＣ基板７００が図４に破線で示す位置でパネルカバー１８０に当接することを許容するように開口している。
【００３３】
図９に示すように、第３開口部１７０の周縁１７０Ｅのうちの第１開口部１３０に近い位置で前後方向に延びる端縁には、２つの第１係合部１７１が形成されている。各第１係合部１７１は互いに前後方向に離間している。各第１係合部１７１は、支持面１０２から下向きに突出した後、左向きに突出している。
【００３４】
第３開口部１７０の周縁１７０Ｅのうちの第１開口部１３０から離れた位置で前後方向に延びる端縁には、１つの第２係合部１７２が形成されている。第２係合部１７２は、周縁１７０Ｅのうちの第１開口部１３０から離れた位置で前後方向に延びる端縁の前端部に隣接する位置から下向きに突出した後、後向きに片持ち梁状に突出している。第２係合部１７２の後端部は、右向きに突出している。第２係合部１７２は、その後端部が左右方向に変位するように、すなわち、各第１係合部１７１に対して接近及び離間するように弾性変形可能である。
【００３５】
図４、図５（ｂ）、図６及び図８に示すように、タッチパネル２００は、その枠状の周縁部がパネル本体１００の第１開口部１３０の周縁と重なるように、パネル本体１００の支持面１０２に配置されている。タッチパネル２００の上を向く面は、パネルカバー１８０の開口部１８３及びパネル本体１００の第１開口部１３０を介して、パネル部材１１の操作面１８１の中央部から露出している。タッチパネル２００は、画像読取処理や画像形成処理等の設定入力の際に、ユーザに操作される。
【００３６】
図８に示すように、タッチパネル２００には、第３フラットケーブル２４０の一端部が接続されている。第３フラットケーブル２４０は、複数本の被覆電線が帯状に接合されてなる。第３フラットケーブル２４０は、本実施形態においては、既製品であるタッチパネル２００の一部である。図３に示すように、第３フラットケーブル２４０の他端部は、静電キー基板４００に接続されている。図８に示すように、タッチパネル２００から延びる接地用配線２００Ｗは、図示しないアースに接続されている。
【００３７】
図４及び図８に示すように、タッチパネル２００の前端縁２００Ａは、本発明の「タッチパネルの所定の基準端縁」の一例である。前端縁２００Ａの右端部は、本発明の「基準端縁の一端部」の一例である。前端縁２００Ａの左端部は、本発明の「基準端縁の他端部」の一例である。前端縁２００Ａが延びる左右方向は、本発明の「第１方向」の一例である。第１方向の一方に位置する領域は右側の領域であり、第１方向の他方に位置する領域は左側の領域である。
【００３８】
図４、図５（ｂ）、図６及び図８に示すように、ＬＣＤ３００は、タッチパネル２００における操作面１８１とは反対側において、タッチパネル２００と重なる状態で配置されている。ＬＣＤ３００は、画像形成装置１の稼働状態や設定等の各種情報を表示する。
【００３９】
ＬＣＤ３００の右端縁３００Ｒには、第１フラットケーブル３５０の一端部３５０Ａが接続されている。ＬＣＤ３００の右端縁３００Ｒは、本発明の「表示部における第１基板に近い端縁」の一例である。また、ＬＣＤ３００の右端縁３００Ｒは、本発明の「表示部における第１方向の一方の端縁」の一例である。
【００４０】
図８及び図１０に示すように、第１フラットケーブル３５０は、複数本の被覆電線が帯状に接合されてなる。第１フラットケーブル３５０は、中間部３５０Ｃにおいて第１端部３５１Ｅと第２端部３５２Ｅとが互いに分断されることによって、第１部分３５１と、第２部分３５２とに２分割されている。第１フラットケーブル３５０は、第１端部３５１Ｅと第２端部３５２Ｅとを中継基板３５６によって接続することにより、第１部分３５１と第２部分３５２とを接続している。中継基板３５６は、本発明の「接続部」の一例である。
【００４１】
図６及び図１０に示すように、中継基板３５６は、小さい矩形状の基板２５６と、基板２５６に取り付けられた２つのフラットケーブル用のコネクタ２５７、２５８とを有している。基板２５６には、各コネクタ２５７、２５８の対応する端子同士を接続する複数の配線パターンが形成されている。コネクタ２５７には、第１フラットケーブル３５０の第１端部３５１Ｅが接続される。コネクタ２５８には、第１フラットケーブル３５０の第２端部３５２Ｅが接続される。
【００４２】
図８に示すように、第１フラットケーブル３５０の第１部分３５１は、本実施形態においては、既製品であるＬＣＤ３００の一部である。第１フラットケーブル３５０の第２部分３５２は、長尺のフラットケーブルから所定の必要長さに切り取られてなる。すなわち、第１部分３５１は、既製品の制約上、所望の長さにすることが制限される一方、第１フラットケーブル３５０の第２部分３５２は、所望の長さに自由に切り取ることができる。
【００４３】
既製品であるＬＣＤ３００は、視野角が上下方向の一方に偏っている場合がある。本実施例では、操作パネル１０を見るユーザがＬＣＤ３００に表示される画像を好適に視認可能となるにより、ＬＣＤ３００の向きを設定している。この設定によって、第１フラットケーブル３５０の一端部３５０Ａの接続位置がＬＣＤ３００の右端縁３００Ｒに制限されている。
【００４４】
図５、図６、図８、図１０及び図１１に示すように、押さえ部材６００は、略厚肉平板形状の樹脂成形品である。押さえ部材６００の前端部には、３つの係合突起６０９が前向きに突設されている。押さえ部材６００の後端部には、３つの挿通穴６０８が貫設されている。
【００４５】
図６及び図８等に示すように、押さえ部材６００は、ＬＣＤ３００におけるタッチパネル２００とは反対側において、ＬＣＤ３００と重なる状態で配置される。この際、押さえ部材６００の各係合突起６０９がパネル本体１００における第１開口部１３０よりも前の部分に嵌合する。そして、図８に示す３本の止めねじ６０８Ｂが各挿通穴６０８に挿通されて、パネル本体１００における第１開口部１３０よりも後の部分にねじ込まれることにより、押さえ部材６００がパネル本体１００の支持面１０２に固定される。
【００４６】
こうして、タッチパネル２００及びＬＣＤ３００は、パネル本体１００と押さえ部材６００とによって挟持される。なお、押さえ部材６００におけるＬＣＤ３００に対向する第１面６０１には、図示しない複数の圧縮コイルバネと、圧縮コイルバネに付勢される図示しない複数の押圧部材とが設けられている。これらの圧縮コイルバネ及び押圧部材に押圧されて、タッチパネル２００及びＬＣＤ３００が支持面１０２に密着するようになっている。
【００４７】
図６及び図１０に示すように、押さえ部材６００の第１面６０１には、第１保持部６１０が形成されている。第１保持部６１０は、凹部６１１と、２つの係合片６１２、６１３とからなる。凹部６１１は、第１面６０１から第２面６０２に向かって窪んでいる。図１０に示すように、係合片６１２と係合片６１３とは、凹部６１１を前後から挟んで対向している。第１保持部６１０は、凹部６１１に中継基板３５６を収容した状態で、係合片６１２、６１３が中継基板３５６に係合することにより、中継基板３５６を保持する。中継基板３５６が第１保持部６１０に保持された状態では、コネクタ２５７は右を向き、コネクタ２５８は前を向く。
【００４８】
押さえ部材６００の第１面６０１には、２つの保持片６１７が形成されている。各保持片６１７は、左右方向において、ずれた位置に形成され、第１面６０１から突出して互いに接近する方向に略Ｌ字状に屈曲している。
【００４９】
図６及び図１０に示すように、第１フラットケーブル３５０の第１部分３５１は、第１フラットケーブル３５０の一端部３５０Ａから、支持面１０２から離間する方向に湾曲しながら延び、その後、配線方向が左向きに変更される。そして、第１部分３５１の第１端部３５１Ｅは、中継基板３５６のコネクタ２５７に接続される。
【００５０】
図１０に示すように、第２部分３５２の第２端部３５２Ｅは、中継基板３５６のコネクタ２５８に接続される。第２部分３５２は、コネクタ２５８から前向きに短く延びた後、折り曲げられて、配線方向が左向きに変更される。第１フラットケーブル３５０の第２部分３５２は、押さえ部材６００の第１面６０１において、各保持片６１７に保持され、さらに左向きに延びる。
【００５１】
図１１に示すように、押さえ部材６００におけるＬＣＤ３００とは反対側の第２面６０２には、３つの第２保持部６２０が形成されている。各第２保持部６２０は、左右方向において、ずれた位置に形成され、第２面６０２から突出して互いに接近する方向に略Ｌ字状に屈曲している。右端部に位置する第２保持部６２０と、左端部に位置する第２保持部６２０とは、後向きに屈曲している。左右方向の中央に位置する第２保持部６２０は、右端部に位置する第２保持部６２０及び左端部に位置する第２保持部６２０よりも後方の位置から前向きに突出している。
【００５２】
また、押さえ部材６００の第２面６０２には、突出部６５０が形成されている。突出部６５０は、第２面６０２の左端縁から左向きに傾斜しつつ突出して支持面１０２から離間した後、左向きに第２面６０２と略平行に延びている。
【００５３】
図４に示すように、静電キー基板４００は、タッチパネル２００の前端縁２００Ａの右端部に隣接して配置されている。換言すると、静電キー基板４００は、タッチパネル２００、ＬＣＤ３００及び押さえ部材６００を挟んで第１方向の一方の領域、すなわちパネル本体１００の右部分に配置されている。図５（ｂ）及び図８に示すように、静電キー基板４００は、その周縁部がパネル本体１００の第２開口部１４０の周縁と重なるように、パネル本体１００の支持面１０２に配置されている。図４に示すように、静電キー基板４００は、パネル部材１１における操作面１８１とは反対側において、タッチキー領域１８１Ｔと重なる状態で配置されている。
【００５４】
静電キー基板４００における操作面１８１とは反対側には、静電キー基板ホルダ４６０が静電キー基板４００と重なる状態で配置される。図８及び図１２に示すように、静電キー基板ホルダ４６０の前端部には、３つの係合突起４６９が前向きに突設されている。静電キー基板ホルダ４６０の後端部には、２つの挿通穴４６８が貫設されている。
【００５５】
静電キー基板ホルダ４６０の各係合突起４６９がパネル本体１００における第２開口部１４０よりも前の部分に嵌合する。そして、図８に示す２本の止めねじ４６８Ｂが各挿通穴４６８に挿通されて、パネル本体１００における第２開口部１４０よりも後の部分にねじ込まれることにより、静電キー基板ホルダ４６０がパネル本体１００の支持面１０２に固定される。こうして、静電キー基板４００は、パネル本体１００と静電キー基板ホルダ４６０とによって挟持される。
【００５６】
静電キー基板４００は、静電容量式のタッチキーを構成する。タッチキー領域１８１Ｔは、画像読取処理や画像形成処理等の設定入力の際に、ユーザに操作される。タッチキー領域１８１Ｔに設定された複数のタッチ位置のいずれかにユーザが指先などで触れた場合、静電キー基板４００は、その部分の静電容量の変化に基づいて、指先の接触の有無を判断する処理を行う。
【００５７】
静電キー基板４００には、パネル本体１００の電源スイッチボタン１０９に対応する位置に、図示しないタクトスイッチが配設されている。ユーザが電源スイッチボタン１０９の押操作することにより、図示しないタクトスイッチが断接し、画像読取装置１の電源のＯＮ／ＯＦＦが切り替えられる。
【００５８】
図５、図８及び図１２に示すように、静電キー基板４００の右端部には、第２フラットケーブル４５０の一端部４５０Ａが接続されている。第２フラットケーブル４５０は、複数本の被覆電線が帯状に接合されてなる。
【００５９】
静電キー基板ホルダ４６０における静電キー基板４００とは反対側の裏面４６２には、フェライトコア４６７が保持されている。第２フラットケーブル４５０は、一端部４５０Ａから、パネル本体１００の支持面１０２から離間する方向に屈曲し、静電キー基板ホルダ４６０の裏面４６２の右端縁に到る。第２フラットケーブル４５０の中間部４５０Ｃは、静電キー基板ホルダ４６０の裏面４６２に沿って左向きに延び、フェライトコア４６７に挿通される。第２フラットケーブル４５０の中間部４５０Ｃは、さらに静電キー基板ホルダ４６０の裏面４６２に沿って左向きに延び、図１１に示すように、押さえ部材６００の第２面６０２の右端縁に到る。
【００６０】
第２フラットケーブル４５０の中間部４５０Ｃは、押さえ部材６００の第２面６０２において、各第２保持部６２０に保持され、さらに第２面６０２に沿って左向きに延びる。第２フラットケーブル４５０の中間部４５０Ｃは、第２面６０２の左端縁に到ると、突出部６５０に当接して案内されることにより支持面１０２から離間し、さらに左向きに延びる。
【００６１】
つまり、図６及び図１０に示すように、第１フラットケーブル３５０の中間部３５０Ｃは、押さえ部材６００の第１面６０２とＬＣＤ３００との間に位置して左向きに延びている。一方、第２フラットケーブル４５０の中間部４５０Ｃは、押さえ部材６００の第２面６０２の下に位置して左向きに延びている。図１０に示す二点鎖線で示す第２フラットケーブル４５０の中間部４５０Ｃは、押さえ部材６００よりも図１０の紙面奥側に位置している。
【００６２】
図１０に示すように、第１フラットケーブル３５０の中間部３５０Ｃと、第２フラットケーブル４５０の中間部４５０Ｃとは、上下方向、すなわち、図１０の紙面に直交する方向から見て、重なる部分Ｗ１を含んでいる。上下方向は、本発明の「操作面に直交する第２方向」の一例である。
【００６３】
図４に示すように、パネル制御基板５００は、タッチパネル２００の前端縁２００Ａの左端部に隣接して配置されている。換言すると、パネル制御基板５００は、タッチパネル２００、ＬＣＤ３００及び押さえ部材６００を挟んで第１方向の他方の領域、すなわちパネル本体１００の左部分に配置されている。図５（ｂ）及び図８に示すように、パネル制御基板５００は、その周縁部がパネル本体１００の第３開口部１７０の周縁と重なるように、パネル本体１００の支持面１０２に配置されている。
【００６４】
図８及び図１３に示すように、パネル制御基板５００における操作面１８１とは反対側の面には、板金製の支持プレート５６０が添設されている。図８及び図１４に示すように、パネル制御基板５００における操作面１８１と対向する面には、板金製のシールドプレート５７０が添設されている。図８に示すように、パネル制御基板５００とシールドプレート５７０との間には、絶縁性の板状部材からなる区画プレート５８０が配置されている。シールドプレート５７０は、本発明の「制御基板に付属する部材」の一例である。
【００６５】
図８に示す４本の止めねじ５０８Ｂが支持プレート５６０、パネル制御基板５００及びシールドプレート５７０の四隅に形成された穴に挿通され、パネル本体１００における第１開口部１３０の周縁にねじ込まれることにより、パネル制御基板５００、支持プレート５６０及びシールドプレート５７０がパネル本体１００の支持面１０２に固定される。
【００６６】
図１３に示すように、支持プレート５６０の平板部分は、パネル制御基板５００に対して所定の間隔を有して操作面１８１とは反対側に離間している。支持プレート５６０における操作面１８１とは反対側の面には、図８に示すフィルム５９０が貼り付けられている。フィルム５９０は、支持プレート５６０の前端、かつ右端の角部から押さえ部材６００に接近するように右向きに延びている。
【００６７】
パネル制御基板５００における操作面１８１とは反対側の面には、複数のコネクタ５５１、５５２、５５４が設けられている。コネクタ５５１は、パネル制御基板５００の右端部に位置し、右を向いている。コネクタ５５２は、パネル制御基板５００の前端部に位置し、下を向いている。コネクタ５５４は、パネル制御基板５００の後端部に位置し、下を向いている。
【００６８】
図７及び図１３に示すように、第１フラットケーブル３５０の中間部３５０Ｃは、押さえ部材６００よりも左に位置する部分が屈曲してパネル本体１００の支持面１０２に接近した後、逆向きに屈曲して支持面１０２から離間し、他端部３５０Ｂに到る。第１フラットケーブル３５０の他端部３５０Ｂは、パネル制御基板５００のコネクタ５５１に接続されている。
【００６９】
第２フラットケーブル４５０の中間部４５０Ｃは、押さえ部材６００の突出部６５０によってパネル本体１００の支持面１０２から離間した状態で、左向きに延びて他端部４５０Ｂに到る。第２フラットケーブル４５０の他端部４５０Ｂは、前向きに屈曲した後、上向きに屈曲し、パネル制御基板５００のコネクタ５５２に接続されている。この際、プレート５６０に保持されたフィルム５９０は、第１フラットケーブル３５０における他端部３５０Ｂから押さえ部材６００に向かって延びる部分と、第２フラットケーブル４５０における他端部４５０Ｂから押さえ部材６００に向かって延びる部分との間に介在しながら、押さえ部材６００に向かって延びる。
【００７０】
図４、図７、図８に示すように、ＮＦＣ基板７００は、パネルカバー１８０とパネル制御基板５００とに挟まれた状態で配置されている。図１４に示すように、ＮＦＣ基板７００は、パネル本体１００の第３開口部１７０内に配置され、パネルカバー１８０における操作面１８１とは反対側の面に当接する。この際、パネル本体１００の各第１係合部１７１がＮＦＣ基板７００の右端縁７００Ｒに係合する。また、パネル本体１００の第２係合部１７２は、弾性変形により、ＮＦＣ基板７００の通過を許容した後、元の位置に復帰し、ＮＦＣ基板７００の左端縁７００Ｌに係合する。このような各第１係合部１７１及び第２係合部１７２により、パネルカバー１８０に対してＮＦＣ基板７００を容易に着脱可能となっている。ＮＦＣ基板７００の右端縁７００Ｒは、本発明の「第２基板の一端縁」の一例である。ＮＦＣ基板７００の左端縁７００Ｌは、本発明の「第２基板の他端縁」の一例である。
【００７１】
シールドプレート５７０には、規制部５７７が形成されている。規制部５７７は、シールドプレート５７０の左端縁から操作面１８１に接近するように屈曲する小片である。
【００７２】
規制部５７７は、ＮＦＣ基板７００がパネルカバー１８０に当接し、各第１係合部１７１がＮＦＣ基板７００の右端縁７００Ｒに係合し、第２係合部１７２がＮＦＣ基板７００の左端縁７００Ｌに係合した状態で、第２係合部１７２の左端面１７２Ａに左から当接する。これにより、規制部５７７は、第２係合部１７２の後端部が左向きに変位することを、すなわち、第２係合部１７２が各第１係合部１７１から離間することを規制する。その結果、各第１係合部１７１及び第２係合部１７２により、ＮＦＣ基板７００が確実に保持される。
【００７３】
ＮＦＣ基板７００は、非接触ＩＣカードとの間で行う双方向無線通信等、近距離無線通信を行う。ＮＦＣ基板７００には、第４フラットケーブル７５０の一端部７５０Ａが接続されている。第４フラットケーブル７５０は、複数本の被覆電線が帯状に接合されてなる。第４フラットケーブル７５０の他端部７５０Ｂは、図１３に示すパネル制御基板５００のコネクタ５５４に接続されている。
【００７４】
パネル制御基板５００は、図２に示す制御部Ｃ１からの制御指令を受けて、タッチパネル２００、ＬＣＤ３００、静電キー基板４００及びＮＦＣ基板７００を制御する。また、パネル制御基板５００は、タッチパネル２００、静電キー基板４００及びＮＦＣ基板７００が取得した情報を制御部Ｃ１に伝達する。
【００７５】
＜作用効果＞
実施例の画像読取装置１では、図６〜図８及び図１０〜図１３に示すように、既製品であるＬＣＤ３００の制約上、上記のように配線される第１フラットケーブル３５０が長くなるものの、第１フラットケーブル３５０の中間部３５０Ｃと、第２フラットケーブル４５０の中間部４５０Ｃとは、双方の間に押さえ部材６００が配置された状態で、パネル制御基板５００に向かって、すなわち左向きに延びる。つまり、第１フラットケーブル３５０の中間部３５０Ｃと、第２フラットケーブル４５０の中間部４５０Ｃとは、押さえ部材６００によって、互いに離間する状態が維持される。これにより、第１フラットケーブル３５０及び第２フラットケーブル４５０がそれぞれのノイズによって互いに悪影響を及ぼし合うという不具合が発生し難い。また、第１フラットケーブル３５０が長くなることで、第１フラットケーブル３５０を接続する作業が行い易くなる。さらに、第２フラットケーブル４５０を接続する作業を行う際、押さえ部材６００によって、第１フラットケーブル３５０が邪魔になり難い。
【００７６】
したがって、実施例の画像読取装置１では、第１、２フラットケーブル３５０、４５０を接続する作業が行い易く、かつＬＣＤ３００及び静電キー基板４００の動作不良を抑制できる。
【００７７】
また、この画像読取装置１では、図４〜図８等に示すように、静電キー基板４００は、タッチパネル２００、ＬＣＤ３００及び押さえ部材６００を挟んでパネル本体１００の右部分に配置されている。パネル制御基板５００は、タッチパネル２００、ＬＣＤ３００及び押さえ部材６００を挟んでパネル本体１００の左部分に配置されている。これにより、この画像読取装置１では、パネル制御基板５００と、タッチパネル２００、ＬＣＤ３００及び押さえ部材６００と、静電キー基板４００とが左右方向に並んで、操作面１８１を細長くできる。
【００７８】
また、この画像読取装置１では、図６及び図８等に示すように、第１フラットケーブル３５０の一端部３５０Ａは、ＬＣＤ３００の右端縁３００Ｒに接続されているので、第１フラットケーブル３５０の折り返しを少なくできる。
【００７９】
さらに、この画像読取装置１では、図１０に示すように、第１フラットケーブル３５０の中間部３５０Ｃと、第２フラットケーブル４５０の中間部４５０Ｃとは、操作面１８１に直交する上下方向から見て、重なる部分Ｗ１を含んでいる。これにより、この画像読取装置１では、第１フラットケーブル３５０及び第２フラットケーブル４５０の占有スペースを小さくできるので、操作パネル部１０に他の部品を配置し易くなる。
【００８０】
また、この画像読取装置１では、図１０に示すように、第１フラットケーブル３５０は、中間部３５０Ｃにおいて互いに分断された第１端部３５１Ｅ及び第２端部３５２Ｅと、第１端部３５１Ｅと第２端部３５２Ｅとを接続する中継基板３５６とを含んでいる。そして、押さえ部材６００におけるＬＣＤ３００に対向する第１面６０１に、中継基板３５６を保持する第１保持部６１０が形成されている。
【００８１】
これにより、この画像読取装置１では、短いフラットケーブル（第１部分３５１）が予め接続された既製品のＬＣＤ３００を利用し、中継基板３５６によって、その短いフラットケーブルに別のフラッケーブル（第２部分３５２）を継ぎ足して第１フラットケーブル３５０とすることができる。また、中継基板３５６を保持する第１保持部６１０によって、第１フラットケーブル３５０の中間部３５０Ｃの位置ずれを防止できる。このため、第１フラットケーブル３５０の中間部３５０Ｃと、第２フラットケーブル４５０の中間部４５０Ｃとが互いに離間する状態が確実に維持される。
【００８２】
さらに、この画像読取装置１では、図１１に示すように、押さえ部材６００の第２面６０２に形成された第２保持部６２０によって、第２フラットケーブル４５０の中間部４５０Ｃの位置ずれを防止できる。このため、第１フラットケーブル３５０の中間部３５０Ｃと、第２フラットケーブル４５０の中間部４５０Ｃとが互いに離間する状態が確実に維持される。
【００８３】
また、この画像読取装置１では、図１１に示すように、押さえ部材６００の第２面６０２に形成された突出部６５０によって、第２フラットケーブル４５０の中間部４５０Ｃを第１フラットケーブル３５０の中間部３５０Ｃからさらに離間させることができる。
【００８４】
さらに、この画像読取装置１では、図７及び図１３に示すように、プレート５６０に保持されたフィルム５９０は、第１フラットケーブル３５０における他端部３５０Ｂから押さえ部材６００に向かって延びる部分と、第２フラットケーブル４５０における他端部４５０Ｂから押さえ部材６００に向かって延びる部分との間に介在しながら、押さえ部材６００に向かって延びる。これにより、第１フラットケーブル３５０における他端部３５０Ｂから押さえ部材６００に向かって延びる部分と、第２フラットケーブル４５０における他端部４５０Ｂから押さえ部材６００に向かって延びる部分とが互いに離間する状態が維持される。
【００８５】
また、この画像読取装置１では、図１４に示すように、第３開口部１７０の周縁１７０Ｅに形成された各第１係合部１７１及び第２係合部１７２により、パネルカバー１８０に対してＮＦＣ基板７００を容易に着脱できる。これにより、この画像読取装置１では、両面テープによってＮＦＣ基板７００をパネルカバー１８０に貼り付ける場合と比較し、ＮＦＣ基板７００の交換作業を容易に行える。
【００８６】
さらに、この画像読取装置１では、図１４に示すように、シールドプレート５７０に形成された規制部５７７は、ＮＦＣ基板７００がパネルカバー１８０に当接し、各第１係合部１７１がＮＦＣ基板７００の右端縁７００Ｒに係合し、第２係合部１７２がＮＦＣ基板７００の左端縁７００Ｌに係合した状態で、第２係合部１７２が各第１係合部１７１から離間することを規制する。
【００８７】
これにより、この画像読取装置１に衝撃等が作用しても、第２係合部１７２が各第１係合部１７１から離間するように弾性変形してＮＦＣ基板７００が外れる不具合を規制部５７７によって防止できる。また、シールドプレート５７０をパネル制御基板５００とともにパネル本体１００に固定する作業によって、同時に規制部５７７の第２係合部１７２に対する規制を行えるので、組み付け作業を簡素化を実現できる。
【００８８】
以上において、本発明を実施例に即して説明したが、本発明は上記実施例に制限されるものではなく、その趣旨を逸脱しない範囲で適宜変更して適用できることはいうまでもない。
【００８９】
表示部は、ＬＣＤ３００に限定されない。例えば、表示部は、有機ＥＬディスプレイ等であってもよい。接続部は、実施例の中継基板３５６には限定されない。例えば、接続部は、２個のコネクタが一体化されたコネクタユニット等であってもよい。
【００９０】
実施例では、シールドプレート５７０に規制部５７７が形成されていたがこの構成には限定されない。例えば、制御基板に規制部が形成されていてもよい。
【産業上の利用可能性】
【００９１】
本発明は、画像読取装置又は複合機等に利用可能である。
【符号の説明】
【００９２】
１…画像読取装置、３Ｓ…読取部（読取センサ）、７…ハウジング
１０…操作パネル部、１８１…操作面、１１…パネル部材
２００…タッチパネル、３００…表示部（ＬＣＤ）
２００Ａ…タッチパネルの所定の基準端縁（前端縁）
４００…第１基板（静電キー基板）、５００…制御基板（パネル制御基板）
３００Ｒ…表示部における第１基板に近い端縁（ＬＣＤの右端縁）
３００Ｒ…表示部における第１方向の一方の端縁（ＬＣＤの右端縁）
３５０…第１フラットケーブル、３５０Ａ…第１フラットケーブルの一端部
３５０Ｃ…第１フラットケーブルの中間部
３５０Ｂ…第１フラットケーブルの他端部
４５０…第２フラットケーブル、４５０Ａ…第２フラットケーブルの一端部
４５０Ｃ…第２フラットケーブルの中間部
４５０Ｂ…第２フラットケーブルの他端部
Ｗ１…第１フラットケーブルの中間部と第２フラットケーブルの中間部とが第２方向から見て重なる部分
３５１Ｅ…第１端部、３５２Ｅ…第２端部、３５６…接続部（中継基板）
６００…押さえ部材、６０１…押さえ部材の第１面、６１０…第１保持部
６０２…押さえ部材の第２面、６２０…第２保持部、６５０…突出部
５９０…フィルム、７００…第２基板（ＮＦＣ基板）、１８０…パネルカバー
１００…パネル本体、１７０…開口部（第３開口部）
１７０Ｅ…開口部の周縁（第３開口部の周縁）
７００Ｒ…第２基板の一端縁（ＮＦＣ基板の右端縁）、１７１…第１係合部
７００Ｌ…第２基板の他端縁（ＮＦＣ基板の左端縁）、１７２…第２係合部
５７０…制御基板に付属する部材（シールドプレート）、５７７…規制部
【図１】
2016192633.tif 000003
【図２】
2016192633.tif 000004
【図３】
2016192633.tif 000005
【図４】
2016192633.tif 000006
【図５】
2016192633.tif 000007
【図６】
2016192633.tif 000008
【図７】
2016192633.tif 000009
【図８】
2016192633.tif 000010
【図９】
2016192633.tif 000011
【図１０】
2016192633.tif 000012
【図１１】
2016192633.tif 000013
【図１２】
2016192633.tif 000014
【図１３】
2016192633.tif 000015
【図１４】
2016192633.tif 000016